(57)【要約】      （修正有）【課題】耐衝撃性を確保して、ケース全体の小型化を図ることができるケース構造およびそれを備えた時計ケースを提供する。【解決手段】本体ケースと、この本体ケースを覆う外装ケース６とを備え、この外装ケース６が、本体ケースの外周に装着されるベース部材１１と、このベース部材１１の上部外周に装着される装飾部材１２と、ベース部材１１および装飾部材１２を結合する第１、第２の結合部材１３、１４と、を有している。従って、ベース部材１１と装飾部材１２とを第１、第２の結合部材１３、１４によって確実に結合することができる。このため、ベース部材１１と装飾部材１２とによって耐衝撃性を確保することができると共に、ベース部材１１と装飾部材１２との各肉厚を薄く形成することができ、これにより外装ケース６全体の外形を小さく形成することができる。【選択図】図５
2015230167.tif 000002
【特許請求の範囲】
【請求項１】
本体ケースと、この本体ケースの外周に装着されて前記本体ケースを覆う外装ケースとを備え、
前記外装ケースは、前記本体ケースの外周に装着されるベース部材と、このベース部材の上部外周に装着される装飾部材と、前記ベース部材および前記装飾部材を結合する結合部材と、を有していることを特徴とするケース構造。
【請求項２】
請求項１に記載のケース構造において、前記結合部材は、前記ベース部材に係合すると共に前記ベース部材の厚さ方向に位置決めをする第１係合部と、前記装飾部材に係合すると共に前記装飾部材の厚さ方向に位置決めをする第２係合部と、を有していることを特徴とするケース構造。
【請求項３】
請求項２に記載のケース構造において、前記結合部材は、前記ベース部材に設けられた筒状部に係合する係合足部を更に有し、前記係合足部は、前記ベース部材の前記厚さ方向に対して垂直な面内に位置決めをすることを特徴とするケース構造。
【請求項４】
請求項２に記載のケース構造において、前記第１係合部は、前記ベース部材の前記厚さ方向に対して垂直な面内に位置決めをすることを特徴とするケース構造。
【請求項５】
請求項１〜請求項４のいずれかに記載のケース構造において、前記ベース部材と前記装飾部材との一方には、係止突起が設けられており、前記ベース部材と前記装飾部材との他方には、前記係止突起が係合する係合凹部が設けられ、前記係合凹部が前記係止突起に係合することにより前記装飾部材が前記ベース部材に取り付けられることを特徴とするケース構造。
【請求項６】
請求項５に記載のケース構造において、前記係止突起は、前記ベース部材の上側の薄肉部の外周面に沿って円弧状に設けられ、前記係合凹部は、前記装飾部材の円形の筒状部の内周面に沿って円弧状に設けられ、前記結合部材の第２係合部は、前記ベース部材に取り付けた時に前記係止突起に対応して連続するように円弧状に設けられており、前記係合凹部が前記係止突起及び前記第２係合部に係合することにより、前記装飾部材が前記ベース部材及び前記結合部材に取り付けられることを特徴とするケース構造。
【請求項７】
請求項１〜請求項６のいずれかに記載のケース構造において、前記結合部材を覆って前記結合部材に取り付けられ、かつ前記装飾部材を押えるカバー部材を備えていることを特徴とするケース構造。
【請求項８】
請求項７に記載のケース構造において、前記カバー部材は、ビスが挿入されるビス挿入孔を有し、前記結合部材は、前記カバー部材の前記ビス挿入孔に対応する個所にねじ穴が設けられた取付部を有し、前記カバー部材は、前記ビスが前記ビス挿入孔を通して前記取付部のねじ穴に螺合することにより、前記結合部材に取り付けられ、前記装飾部材及び前記ベース部材を固定して、前記外装ケースが組み立てられることを特徴とするケース構造。
【請求項９】
請求項１〜請求項８のいずれかに記載のケース構造において、前記ベース部材は前記本体ケースに複数のビスによって固定されていることを特徴とするケース構造。
【請求項１０】
請求項１〜請求項９のいずれかに記載されたケース構造を備えていることを特徴とする時計ケース。
【発明の詳細な説明】
【技術分野】
【０００１】
この発明は、時計や携帯電話機などの電子機器に用いられるケース構造およびそれを備えた時計ケースに関する。
【背景技術】
【０００２】
例えば、腕時計のケース構造においては、特許文献１に記載されているように、本体ケースと外装ケースとを備え、外装ケースが第１ベゼルと第２ベゼルとを有し、これら第１ベゼルと第２ベゼルとで本体ケースを覆って保護するように構成されたものが知られている。
【先行技術文献】
【特許文献】
【０００３】
【特許文献１】特開２０１０−３２４２４号公報
【０００４】
この場合、外装ケースの第１ベゼルは、軟質の合成樹脂からなり、装飾が施されて本体ケースの上部外周に配置されるように構成されている。第２ベゼルは、軟質の合成樹脂からなる弾性カバーであり、本体ケースの外周および第１ベゼルの下部外周に配置されるように構成されている。また、この第２ベゼルは、３時側と９時側とに位置する個所と本体ケースとの間に空間部を形成し、この空間部によって第２ベゼルの一部が弾性変形し易くなるように構成されている。
【発明の概要】
【発明が解決しようとする課題】
【０００５】
しかしながら、このような腕時計のケース構造では、軟質の合成樹脂からなる第２ベゼルと本体ケースとの間に空間部を設ける必要があるほか、衝撃を吸収するために第２ベゼルの肉厚を厚くする必要があり、これらによって第２ベゼルの外形が大きくなる。また、第１ベゼルは軟質の合成樹脂で形成されていることにより、第１ベゼルの厚みを薄くすると、衝撃を十分に吸収できなくなるため、第１ベゼルの肉厚を、ある程度、厚く形成する必要がある。このため、第１ベゼルおよび第２ベゼルの各肉厚が厚くなることにより、外装ケースの外形が大きくなり、腕時計ケース全体が大型化するという問題がある。
【０００６】
この発明が解決しようとする課題は、耐衝撃性を確保して、ケース全体の小型化を図ることができるケース構造およびそれを備えた時計ケースを提供することである。
【課題を解決するための手段】
【０００７】
この発明は、本体ケースと、この本体ケースの外周に装着されて前記本体ケースを覆う外装ケースとを備え、前記外装ケースが、前記本体ケースの外周に装着されるベース部材と、このベース部材の上部外周に装着される装飾部材と、前記ベース部材および前記装飾部材を結合する結合部材と、を有していることを特徴とするケース構造である。
【発明の効果】
【０００８】
この発明によれば、外装ケースのベース部材と外装ケースの装飾部材とを結合部材によって確実に結合することができるので、これらベース部材と装飾部材とによって耐衝撃性を確保することができると共に、ベース部材と装飾部材との各肉厚を薄く形成することができる。このため、外装ケース全体の外形を小さく形成することができ、これによりケース全体の小型化を図ることができる。
【図面の簡単な説明】
【０００９】
【図１】この発明を腕時計に適用した一実施形態における腕時計ケースを示した拡大斜視図である。
【図２】図１に示された腕時計ケースを本体ケースと外装ケースとに分解して示した拡大斜視図である。
【図３】図１に示された腕時計ケースのＡ−Ａ矢視において、本体ケースと外装ケースとを分解して示した拡大断面図である。
【図４】図１に示された腕時計ケースのＢ−Ｂ矢視において、本体ケースと外装ケースとを分解して示した拡大断面図である。
【図５】図２に示された外装ケースを更に分解して示した拡大斜視図である。
【図６】図５に示された外装ケースの第１結合部材を示した拡大斜視図である。
【図７】図２に示された外装ケースの第１結合部材における断面を示し、（ａ）は図２の外装ケースのＣ−Ｃ矢視における要部の拡大断面図、（ｂ）は図２の外装ケースのＤ−Ｄ矢視における要部の拡大断面図、（ｃ）は図２の外装ケースのＥ−Ｅ矢視における要部の拡大断面図である。
【図８】図５に示された外装ケースの第２結合部材を示した拡大斜視図である。
【図９】図２に示された外装ケースの第２結合部材における断面を示し、（ａ）は図２の外装ケースのＦ−Ｆ矢視における要部の拡大断面図、（ｂ）は図２の外装ケースのＧ−Ｇ矢視における要部の拡大断面図である。
【発明を実施するための形態】
【００１０】
以下、図１〜図９を参照して、この発明を腕時計に適用した一実施形態について説明する。
この腕時計は、図１に示すように、腕時計ケース１を備えている。この腕時計ケース１の１２時側および６時側には、時計バンド（図示せず）を取り付けるためのバンド取付部２がそれぞれ外部に突出して設けられている。
【００１１】
この腕時計ケース１の３時側には、図１に示すように、竜頭などのスイッチ部３が設けられている。また、この腕時計ケース１の２時側、４時側、８時側、および１０時側に位置する各個所には、それぞれ押釦スイッチ４が設けられている。さらに、この腕時計ケース１は、その内部に時計モジュール（図示せず）が設けられるように構成されている。
【００１２】
この腕時計ケース１は、図１および図２に示すように、本体ケース５と、この本体ケース５を覆う外装ケース６とを備えている。本体ケース５は、ＡＢＳ樹脂などの硬質の合成樹脂からなり、図２に示すように、全体がほぼ筒形状に形成されている。すなわち、この本体ケース５は、その上部側が円筒状の薄肉部５ａに形成され、下部側がほぼ筒状の厚肉部５ｂに形成されている。この本体ケース５の薄肉部５ａには、図３および図４に示すように、その内部に金属製の補強部材５ｃが埋め込まれている。
【００１３】
この本体ケース５の１２時側および６時側に位置する厚肉部５ｂには、図２および図３に示すように、取付突起部７がバンド取付部２に対応して設けられている。また、この本体ケース５の３時側に位置する厚肉部５ｂには、図２および図４に示すように、竜頭などのスイッチ部３が取り付けられる大径のスイッチ取付孔８が設けられている。このスイッチ取付孔８の外端部には、リング状のフランジ部８ａが、スイッチ部３の操作頭部３ａの外径に対応する大きさで設けられている。
【００１４】
また、この本体ケース５の９時側に位置する厚肉部５ｂには、図４に示すように、係合突起部９が外部に突出して設けられている。さらに、この本体ケース５の２時側、４時側、８時側、および１０時側に位置する厚肉部５ｂの各個所には、図２に示すように、それぞれ押釦スイッチ４が取り付けられる小径のスイッチ取付孔１０が設けられている。
【００１５】
一方、外装ケース６は、図５に示すように、本体ケース５の外周に装着されるベース部材１１と、このベース部材１１の上部外周および本体ケース５の上端部に装着される装飾部材１２と、ベース部材１１および装飾部材１２を結合する第１、第２の結合部材１３、１４と、を有している。ベース部材１１は、ウレタン樹脂などの軟質の合成樹脂からなり、本体ケース５の全外周を覆うように構成されている。
【００１６】
すなわち、このベース部材１１は、図２および図５に示すように、全体が本体ケース５よりも大きいほぼ筒形状に形成されている。この場合、ベース部材１１は、その上部側が本体ケース５の薄肉部５ａに対応する円筒状の薄肉部１１ａに形成され、下部側が本体ケース５の厚肉部５ｂに対応するほぼ筒状の厚肉部１１ｂに形成されている。
【００１７】
このベース部材１１の１２時側および６時側に位置する厚肉部１１ｂには、図２、図３、および図５に示すように、本体ケース５の取付突起部７を覆う取付カバー部１５が外部に突出して設けられている。これにより、腕時計ケース１のバンド取付部２は、本体ケース５の取付突起部７とベース部材１１の取付カバー部１５とで構成されている。
【００１８】
また、このベース部材１１の３時側に位置する厚肉部１１ｂには、図２および図５に示すように、アーチ形状の開口部１６がスイッチ取付孔８のフランジ部８ａに対応して設けられている。すなわち、このアーチ形状の開口部１６は、その上部側がスイッチ取付孔８のフランジ部８ａの外径に対応する半円形状に形成され、下部側がベース部材１１の下端に開放され、この状態でベース部材１１の内部と外部とに貫通するように構成されている。
【００１９】
このアーチ形状の開口部１６の両側部には、図２および図５に示すように、一対の筒状部１７がアーチ形状の上部を除いて上下方向に沿って設けられている。これら一対の筒状部１７は、図１に示すように、その突出長さ、つまりベース部材１１の径方向に突出する長さが、スイッチ部３の操作頭部３ａの軸方向の長さとほぼ同じ長さで、ベース部材１１の外部に向けて突出して設けられている。
【００２０】
これら一対の筒状部１７には、図７（ａ）に示すように、それぞれ嵌合穴１７ａが上側に開放された状態で上下方向に沿って非貫通状態で設けられている。これにより、アーチ形状の開口部１６は、図１に示すように、スイッチ部３の操作頭部３ａが、一対の筒状部１７間に位置した状態で、操作可能に配置されるように構成されている。
【００２１】
また、このベース部材１１の９時側に位置する厚肉部１１ｂの外周面には、図４に示すように、後述する第２結合部材１４に対応する取付突起部１８が外部に突出して設けられている。この取付突起部１８の内周面には、本体ケース５の厚肉部５ｂに設けられた係合突起部９が係合する係合凹部１８ａが設けられている。また、この取付突起部１８には、後述するビス挿入孔２４が内外に貫通して設けられている。
【００２２】
このベース部材１１の２時側、４時側、８時側、および１０時側に位置する厚肉部１１ｂの各個所には、図５に示すように、押釦スイッチ４の釦部４ａが配置される釦開口部１９がそれぞれ設けられている。また、このベース部材１１の３時側に位置する薄肉部１１ａには、後述する第１結合部材１３が配置する第１切欠き部２０が、一対の筒状部１７における外周方向の長さよりも長い長さで設けられている。
【００２３】
また、このベース部材１１の９時側に位置する薄肉部１１ａは、図５に示すように、後述する第２結合部材１４が配置する第２切欠き部２１が、取付突起部１８の外周方向の長さよりも長い長さで設けられている。また、このベース部材１１の薄肉部１１ａの外周面には、係止突起２２が３時側の第１切欠き部２０と９時側の第２切欠き部２１とを除いて、外周方向に沿って円弧状をなすように形成されている。
【００２４】
さらに、このベース部材１１の厚肉部１１ｂには、図２および図５に示すように、複数のビス挿入孔２４がベース部材１１の内外に貫通して設けられている。これにより、ベース部材１１は、図１および図２に示すように、本体ケース５の外周面を覆った状態で、複数のビス２３がベース部材１１の各ビス挿入孔２４を通して本体ケース５に螺着することにより、本体ケース５に取り付けられるように構成されている。
【００２５】
装飾部材１２は、図１〜図５に示すように、アルミニウムやステンレスなどの金属、または硬質の合成樹脂、例えば剛性の高いポリアミド系樹脂などの合成樹脂などの硬質の材料からなり、全体がほぼリング形状に形成されている。すなわち、この装飾部材１２は、図３〜図５に示すように、ベース部材１１の薄肉部１１ａの外周に装着するほぼ円形の筒状部１２ａと、ベース部材１１の薄肉部１１ａの上端面および本体ケース５の薄肉部５ａの上端面に跨って配置されるほぼ円形状のリング部１２ｂとを有している。
【００２６】
この場合、装飾部材１２の１２時側と６時側とに位置する個所は、図１、図２、および図５に示すように、その上面および側面が一段厚く形成されている。また、この装飾部材１２の３時側に位置する個所は、図４および図５に示すように、筒状部１２ａがベース部材１１の第１切欠き部２０に対応して切り取られていると共に、リング部１２ｂの径方向の長さ（幅）がベース部材１１の第１切欠き部２０に対応して切り取られていることにより、幅狭部２５に形成されている。
【００２７】
この場合、装飾部材１２の３時側に位置する幅狭部２５は、図５に示すように、その外周方向の長さがベース部材１１の一対の筒状部１７の外端部間の長さとほぼ同じで、第１切欠き部２０外周方向の長さよりも短く形成されている。これにより、３時側に位置する装飾部材１２の幅狭部２５は、本体ケース５の薄肉部５ａの上端面のみに配置されることにより、ベース部材１１の厚肉部１１ｂの上端面および一対の筒状部１７の上端部が上方に露呈するように構成されている。
【００２８】
また、この装飾部材１２の９時側に位置する個所、つまりベース部材１１の第２切欠き部２１に対応する個所には、図４および図５に示すように、一対の溝部２６がベース部材１１の取付突起部１８の両端部に対応して設けられている。すなわち、これら一対の溝部２６は、その間隔がベース部材１１の第２切欠き部２１の外周方向の長さよりも短く、リング部１２ｂの一部から筒状部１２ａに亘って形成されている。これにより、一対の溝部２６は、ベース部材１１の取付突起部１８の両端部を上方に露呈させるように構成されている。
【００２９】
さらに、この装飾部材１２における筒状部１２ａの内周面には、図３に示すように、ベース部材１１の係止突起２２が係合する係合凹部２７が、３時側の幅狭部２５および９時側の一対の溝部２６を除いて、円弧状をなすように設けられている。これにより、装飾部材１２は、その筒状部１２ａがベース部材１１の上部側の薄肉部１１ａの外面に装着された際に、係合凹部２７がベース部材１１の係止突起２２に係合することにより、ベース部材１１に取り付けられるように構成されている。
【００３０】
一方、第１、第２の結合部材１３、１４は、それぞれ剛性の高いポリアミド系の合成樹脂で形成されている。これら第１、第２の結合部材１３、１４のうち、第１結合部材１３は、図５に示すように、ベース部材１１の３時側に位置する個所と、装飾部材１２の３時側に位置する個所とを、結合するものであり、ベース部材１１の第１切欠き部２０に配置されるように構成されている。すなわち、この第１結合部材１３は、ベース部材１１の第１切欠き部２０に配置される第１結合体２８を備えている。
【００３１】
この第１結合体２８は、図５に示すように、ベース部材１１の上部側の薄肉部１１ａと同じ厚みで、その薄肉部１１ａと連続する円弧状に湾曲して形成されている。また、この第１結合体２８は、その外周方向の長さがベース部材１１の第１切欠き部２０の外周方向の長さと同じ長さで、装飾部材１２の３時側に位置する幅狭部２５の外周方向の長さよりも長く形成されている。
【００３２】
これにより、第１結合体２８は、図５および図７（ｃ）に示すように、ベース部材１１の第１切欠き部２０に配置された状態で、装飾部材１２がベース部材１１の薄肉部１１ａの外周に装着された際に、第１結合体２８の両端部の外面に、装飾部材１２の幅狭部２５の両側に位置する個所の筒状部１２ａが重なり合うように構成されている。
【００３３】
また、この第１結合部材１３は、図５〜図７に示すように、ベース部材１１の係合凹部２９に係合する第１係合部である第１係合突起３０と、装飾部材１２の係合凹部２７に係合する第２係合部である第２係合突起３１と、ベース部材１１の一対の筒状部１７に係合する一対の係合足部３２と、を有している。第１係合突起３０は、図５および図６に示すように、第１結合体２８の外面における外周方向の中間部に、その外部に向けて突出して設けられている。
【００３４】
この場合、ベース部材１１のアーチ形状の開口部１６が位置する厚肉部１１ｂの上部内面には、図４および図７（ｂ）に示すように、第１結合部材１３の第１係合突起３０が係合する係合凹部２９が設けられている。これにより、第１結合部材１３は、第１結合体２８がベース部材１１の第１切欠き部２０に配置された際に、第１係合突起３０がベース部材１１の係合凹部２９に係合することにより、ベース部材１１に対して取り付けられるように構成されている。また、第１結合部材１３の第１係合突起３０がベース部材１１の係合凹部２９に係合することにより、第１結合部材１３は、ベース部材１１の厚さ方向（図７（ｂ）では上下方向）に位置決めされる。
【００３５】
第２係合突起３１は、図５および図６に示すように、第１結合体２８の両側部における外周面に、その外周方向に沿い、かつ外部に向けて突出して設けられている。この第２係合突起３１は、第１結合体２８がベース部材１１の第１切欠き部２０に配置された際に、ベース部材１１の薄肉部１１ａの外周面に設けられた係止突起２２に対応して連続するように構成されている。この第２係合突起３１は、図７（ｃ）に示すように、装飾部材１２の幅狭部２５の両側に位置する個所の筒状部１２ａの内周面に設けられた係合凹部２７に係合するように構成されている。
【００３６】
すなわち、この第２係合突起３１は、図５に示すように、装飾部材１２がベース部材１１の薄肉部１１ａの外周に装着されて、第１結合体２８の両端部の外面に装飾部材１２の幅狭部２５の両側に位置する個所の筒状部１２ａが重なった際に、図７（ｃ）に示すように、装飾部材１２の幅狭部２５の両側に位置する個所の筒状部１２ａの内周面に設けられた係合凹部２７に係合することにより、第１結合部材１３を装飾部材１２に対して取り付けるように構成されている。また、第１結合部材１３の第２係合突起３１が装飾部材１２の係合凹部２７に係合することにより、第１結合部材１３は、装飾部材１２の厚さ方向（図７（ｃ）では上下方向）に位置決めされる。
【００３７】
一対の係合足部３２は、図５および図６に示すように、ベース部材１１に設けられた一対の筒状部１７の嵌合穴１７ａにそれぞれ嵌め込まれるものであり、一対の筒状部１７に対応する第１結合体２８の両側部に第１取付部３３を介して設けられている。すなわち、これら一対の係合足部３２は、図６に示すように、第１結合体２８の第１取付部３３の外面から下側に向けて延出されている。
【００３８】
これにより、一対の係合足部３２は、図５および図７（ａ）に示すように、第１結合体２８がベース部材１１の第１切欠き部２０に配置された際に、ベース部材１１に設けられた一対の筒状部１７の嵌合穴１７ａにそれぞれ嵌め込まれることにより、第１結合部１３をベース部材１１に対して強固に固定するように構成されている。また、第１結合部材１３の係合足部３２がベース部材１１の筒状部１７の嵌合穴１７ａに嵌め込まれることにより、第１結合部材１３は、第１結合部材１３は、ベース部材１１の厚さ方向に対して垂直な面内に位置決めされる。
【００３９】
この場合、第１結合体２８の両側部に設けられた第１取付部３３は、図５および図６に示すように、後述する第１カバー部材４０を取り付けるためのものであり、角柱状に形成され、ベース部材１１の第１切欠き部２０における厚肉部１１ｂの上面に配置されるように構成されている。この場合、第１取付部３３は、その高さが第１結合体２８と同じ高さに形成されている。この第１取付部３３には、その上面から下部に向けてねじ穴３３ａが設けられている。
【００４０】
一方、第２結合部材１４は、図５に示すように、ベース部材１１の９時側に位置する個所と、装飾部材１２の９時側に位置する個所とを、結合するものであり、ベース部材１１の第２切欠き部２１に配置されるように構成されている。すなわち、この第２結合部材１４は、ベース部材１１の第２切欠き部２１に配置される第２結合体３４を備えている。
【００４１】
この第２結合体３４は、図５に示すように、ベース部材１１の上部側の薄肉部１１ａと同じ厚みで、その薄肉部１１ａと連続する円弧状に湾曲して形成されている。また、この第２結合体３４は、その外周方向の長さがベース部材１１の第２切欠き部２１の外周方向の長さと同じ長さで、装飾部材１２の９時側に位置する一対の溝部２６間の長さよりも長く形成されている。
【００４２】
これにより、第２結合体３４は、図５に示すように、ベース部材１１の第２切欠き部２１に配置された状態で、装飾部材１２がベース部材１１の薄肉部１１ａの外周に装着された際に、装飾部材１２の一対の溝部２６に対応する個所を除いて、第２結合体３４の外面に装飾部材１２の筒状部１２ａが重なり合うように構成されている。
【００４３】
また、この第２結合部材１４は、図５、図８および図９に示すように、ベース部材１１の係合凹部３５に係合する第１係合部である第３係合突起３６と、装飾部材１２の係合凹部２７に係合する第２係合部である第４係合突起３７と、後述する第２カバー部材４５を取り付けための第２取付部３８と、を有している。第３係合突起３６は、図８および図９（ｂ）に示すように、第２結合体３４の外面における外周方向の両側下部に、その外部に向けて階段状に突出して設けられている。
【００４４】
この場合、ベース部材１１の９時側に位置する取付突起部１８の内周面には、図９（ｂ）に示すように、第２結合部材１４の第３係合突起３６が係合する係合凹部３５が、取付突起部１８の係合凹部１８ａの上側に位置して設けられている。これにより、第２結合部材１４は、第２結合体３４がベース部材１１の第２切欠き部２１に配置される際に、第３係合突起３６がベース部材１１の係合凹部３５に係合することにより、ベース部材１１に対して取り付けられるように構成されている。また、第２結合部材１４の第３係合突起３６がベース部材１１の係合凹部３５に係合することにより、第２結合部材１４は、ベース部材１１の厚さ方向（図９（ｂ）では上下方向）及び厚さ方向に対して垂直な面内に位置決めされる。
【００４５】
第４係合突起３７は、図５および図８に示すように、第２取付部３８の個所を除いて、第２結合体３４の外周面に、その外周方向に沿い、かつ外部に向けて突出して設けられている。この第４係合突起３７は、第２結合体３４がベース部材１１の第２切欠き部２１に配置された際に、ベース部材１１の薄肉部１１ａの外周面に設けられた係止突起２２に対応して連続するように構成されている。
【００４６】
これにより、この第４係合突起３７は、図９（ｂ）に示すように、第２結合体３４がベース部材１１の第２切欠き部２１に配置された状態で、装飾部材１２の筒状部１２ａがベース部材１１の上部側の薄肉部１１ａの外周に装着された際に、装飾部材１２の筒状部１２ａの内周面に設けられた係合凹部２７に係合することにより、第２結合部材１４を装飾部材１２に対して取り付けるように構成されている。また、第２結合部材１４の第４係合突起３７が装飾部材１２の係合凹部２７に係合することにより、第２結合部材１４は、装飾部材１２の厚さ方向（図９（ｂ）では上下方向）に位置決めされる。
【００４７】
第２取付部３８は、図８および図９（ａ）に示すように、第２結合体３４における第３係合突起３６の両側に円柱状に設けられている。この第２取付部３８は、ベース部材１１の第２切欠き部２１に対応する厚肉部１１ｂの上面に配置され、この状態で装飾部材１２の一対の溝部２６に対応するように構成されている。すなわち、この第２取付部３８は、その高さが第２結合体３４と同じ高さに形成されている。この第２取付部３８には、その上面から下部に向けてねじ穴３８ａが設けられている。
【００４８】
ところで、第１結合部材１３の上部には、図５に示すように、第１カバー部材４０が取り付けられている。この第１カバー部材４０は、ウレタン樹脂などの軟質の合成樹脂で形成され、図７（ａ）〜図７（ｃ）に示すように、第１結合部材１３を覆って装飾部材１２を上側から押え付けるように構成されている。
【００４９】
すなわち、この第１カバー部材４０は、図５に示すように、装飾部材１２の幅狭部２５に位置して、第１結合体２８上に位置する装飾部材１２の幅狭部２５上から係合足部３２上を覆う一対の第１カバー部４１と、一対の係合足部３２間に位置する第１結合体２８を覆って一対の第１カバー部４１を連結する第１連結部４２と、を有している。
【００５０】
この場合、一対の第１カバー部４１における第１連結部４２が連結される個所には、図２および図５に示すように、ビス４３が挿入するビス挿入孔４４が第１結合部材１３の各第１取付部３３のねじ穴３３ａに対応して設けられている。これにより、第１カバー部材４０は、装飾部材１２の幅狭部１５の上方に露呈している第１結合部材１３上に配置された状態で、ビス４３がビス挿入孔４４を通して第１取付部３３のねじ穴３３ａに螺合することにより、図７（ａ）に示すように、第１結合部材１３に取り付けられるように構成されている。
【００５１】
また、この第１カバー部材４０は、図１および図２に示すように、装飾部材１２の幅狭部１５の両側部およびその上方に露呈している第１結合部材１３上に配置されて、ビス４３によって第１結合部材１３に取り付けられた際に、図７（ａ）〜図７（ｃ）に示すように、装飾部材１２の内側に位置する一対の第１カバー部４１の内端部が装飾部材１２の幅狭部２５の両側を第１結合部材１３上に押し付けると共に、一対の第１カバー部４１間に装飾部材１２の幅狭部２５の中間部を露呈させるように構成されている。
【００５２】
一方、第２結合部材１４の上部には、図５に示すように、第２カバー部材４５が取り付けられている。この第２カバー部材４５も、ウレタン樹脂などの軟質の合成樹脂で形成され、図９（ａ）および図９（ｂ）に示すように、第２結合部材１４を覆って装飾部材１２を上側から押え付けるように構成されている。
【００５３】
すなわち、この第２カバー部材４５は、図５に示すように、装飾部材１２の９時側の個所に位置して、第２結合体３４上に位置する装飾部材１２の９時側の個所から第２取付部３８上、およびベース部材１１の９時側に位置する取付突起部１８の両端部上を覆う一対の第２カバー部４６と、第２結合体３４の上側に位置する装飾部材１２を覆って一対の第２カバー部４６を連結する第２連結部４７と、を有している。
【００５４】
この場合、一対の第２カバー部４６における第２連結部４７が連結される個所には、図２および図５に示すように、ビス４３が挿入するビス挿入孔４８が第２結合部材１４の各第２取付部３８のねじ穴３８ａに対応して設けられている。これにより、第２カバー部材４５は、装飾部材１２の９時側に位置する個所の上方に露呈している第２結合部材１４上に配置された状態で、図９（ａ）に示すように、ビス４３がビス挿入孔４８を通して第２取付部３８のねじ穴３８ａに螺合することにより、第２結合部材１４に取り付けられるように構成されている。
【００５５】
また、この第２カバー部材４５は、図１および図２に示すように、装飾部材１２の９時側に位置する個所およびその上方に露呈している第２結合部材１４上に配置されて、ビス４３によって第２結合部材１４に取り付けられた際に、図９（ａ）に示すように、装飾部材１２の内側に位置する一対の第２カバー部４６の内端部が装飾部材１２の９時側に位置する一対の溝部２６の個所を第２結合部材１４上に押し付けると共に、一対の第２カバー部４６間に装飾部材１２の９時側に位置する一部を露呈させるように構成されている。
【００５６】
次に、このような腕時計ケース１を組み立てる場合について説明する。
この場合には、予め、本体ケース５に装着される外装ケース６を組み立てる。このときには、まず、ベース部材１１の３時側に位置する第１切欠き部２０と、ベース部材１１の９時側に位置する第２切欠き部２１とに、第１結合部材１３と第２結合部材１４とをそれぞれ取り付ける。
【００５７】
すなわち、ベース部材１１の３時側に位置する第１切欠き部２０に第１結合部材１３を取り付ける場合には、図５に示すように、第１結合部材１３の一対の係合足部３２をベース部材１１の３時側に設けられた一対の筒状部１７の嵌合穴１７ａに挿入させる。この状態で、一対の係合足部３２を一対の筒状部１７の嵌合穴１７ａに押し込んで嵌め込むと、第１結合部材１３の第１結合体２８がベース部材１１の第１切欠き部２０内に配置される。
【００５８】
このときには、図７（ｂ）に示すように、第１結合体２８に設けられた第１係合突起３０が、ベース部材１１の３時側に位置するアーチ形状の開口部１６の上部に設けられた係合凹部２９に係合する。このように、一対の筒状部１７の嵌合穴１７ａに対する一対の係合足部３２の嵌着と、ベース部材１１の係合凹部２９に対する第１係合突起３０の係合とによって、第１結合部材１３がベース部材１１に確実に固定される。また、第１結合部材１３は、ベース部材１１に対しての厚さ方向及び厚さ方向に対して垂直な面内に確実に位置決めされる。
【００５９】
この状態では、第１結合体２８がベース部材１１の上部側の薄肉部１１ａと同じ厚みで円弧状に連続する。これにより、第１結合体２８の外周面に設けられた第２係合突起３１がベース部材１１の薄肉部１１ａの外周面に設けられた係止突起２２に対応して連続する。また、この状態では、図７（ａ）に示すように、第１結合体２８と一対の筒状部１７との間に位置する各第１取付部３３が、ベース部材１１の第１切欠き部２０に位置する厚肉部１１ｂ上に配置される。
【００６０】
一方、ベース部材１１の９時側に位置する第２切欠き部２１に第２結合部材１４を取り付ける場合には、図９（ｂ）に示すように、第２結合部材１４の第２結合体３４に設けられた第３係合突起３６を、ベース部材１１の９時側に位置する第２切欠き部２１に対応する厚肉部１１ｂの上部内周面に設けられた係合凹部３５に係合させる。この状態で、第２結合体３４をベース部材１１の第２切欠き部２１に配置する。これにより、第２結合部材１４がベース部材１１に固定される。また、第２結合部材１４は、ベース部材１１に対しての厚さ方向及び厚さ方向に対して垂直な面内に確実に位置決めされる。
【００６１】
この状態では、第２結合体３４がベース部材１１の上部側の薄肉部１１ａと同じ厚みで円弧状に連続する。これにより、第２結合体３４の外周面に設けられた第４係合突起３７がベース部材１１の薄肉部１１ａの外周面に設けられた係止突起２２に対応して連続する。また、この状態では、図９（ａ）に示すように、第２結合体３４に設けられた一対の第２取付部３８が、ベース部材１１の第２切欠き部２１における厚肉部１１ｂの上面に配置される。
【００６２】
そして、装飾部材１２をベース部材１１に取り付ける。このときには、図５に示すように、まず、装飾部材１２の幅狭部２５をベース部材１１の３時側に位置する第１切欠き部２０に配置された第１結合部材１３に対応させると共に、装飾部材１２の一対の溝部２６をベース部材１１の９時側に位置する第２切欠き部２１に配置された第２結合部材１４の一対の第２取付部３８に対応させる。
【００６３】
この状態で、装飾部材１２の筒状部１２ａをベース部材１１の上部側の薄肉部１１ａの外周に嵌め込んで装着する。このときには、図３に示すように、装飾部材１２の筒状部１２ａの内周面に設けられた係合凹部２７が、ベース部材１１の薄肉部１１ａの外周面に設けられた係合突起２２に係合する。これにより、装飾部材１２の筒状部１２ａがベース部材１１の薄肉部１１ａに取り付けられる。
【００６４】
この状態では、図３および図４に示すように、装飾部材１２のリング部１２ｂがベース部材１１の薄肉部１１ａの上端部を覆って薄肉部１１ａの内側に突出する。また、装飾部材１２の筒状部１２ａの下端面が、ベース部材１１の厚肉部１１ｂの上端面に当接し、装飾部材１２の筒状部１２ａの外周面のほとんどが、ベース部材１１の厚肉部１１ｂの上端部に位置する外周部から突出せず、その内側に位置し、一部がほぼ同一面上に位置する。これにより、装飾部材１２の筒状部１２ａが下側からめくれないように取り付けられる。
【００６５】
また、このときには、図７（ｃ）に示すように、装飾部材１２の３時側に位置する幅狭部２５の両側に位置する筒状部１２ａが、ベース部材１１の第１切欠き部２０に取り付けられた第１結合部材１３の第１結合体２８の両側部の外周に重なり合う。このため、装飾部材１２の幅狭部２５の両側に位置する筒状部１２ａの内周面に設けられた係合凹部２７が、第１結合体２８の両側部に位置する外周面に設けられた第２係合突起３１に係合する。
【００６６】
これにより、図７（ｃ）に示すように、装飾部材１２の３時側に位置する幅狭部２５の両側に位置する筒状部１２ａが、ベース部材１１の第１切欠き部２０に取り付けられた第１結合部材１３の第１結合体２８に取り付けられる。この状態では、装飾部材１２の幅狭部２５に対応する個所の第１結合部材１３が装飾部材１２の上方に露呈する。
【００６７】
同様に、装飾部材１２の９時側に位置する筒状部１２ａが、装飾部材１２の一対の溝部２６を除いて、ベース部材１１の第２切欠き部２１に取り付けられた第２結合部材１４の第２結合体３４の外周面に重なり合う。このため、図９（ｂ）に示すように、装飾部材１２の９時側に位置する筒状部１２ａの内周面に設けられた係合凹部２７が、第２結合体３４の外周面に設けられた第４係合突起３７に係合する。
【００６８】
これにより、図９（ｂ）に示すように、装飾部材１２の９時側に位置する筒状部１２ａが、ベース部材１１の第２切欠き部２１に取り付けられた第２結合部材１４の第２結合体３４に取り付けられる。この状態では、図９（ａ）に示すように、装飾部材１２の一対の溝部２６に対応する個所の第２結合部材１４の各第２取付部３８が装飾部材１２の上方に露呈する。
【００６９】
この結果、金属や硬質の合成樹脂などからなる装飾部材１２が、ウレタン樹脂などの軟質の合成樹脂からなるベース部材１１の薄肉部１１ａに取り付けられる。また、この装飾部材１２の３時側がポリアミド系の剛性の高い硬質の合成樹脂からなる第１結合部材１３によってベース部材１１の３時側に取り付けられると共に、装飾部材１２の９時側がポリアミド系の剛性の高い硬質の合成樹脂からなる第２結合部材１４によってベース部材１１の９時側に取り付けられる。
【００７０】
この後、図２および図５に示すように、第１結合部材１３上にウレタン樹脂などの軟質の合成樹脂からなる第１カバー部材４０を取り付けると共に、第２結合部材１４上にウレタン樹脂などの軟質の合成樹脂からな第２カバー部材４４を取り付ける。
【００７１】
すなわち、第１カバー部材４０を第１結合部材１３上に取り付ける場合には、一対の第１カバー部４１を装飾部材１２の３時側に位置する幅狭部２５の両端部上から第１結合部材１３の第１結合体２８に設けられた一対の係合足部３２上に配置し、一対の第１カバー部４１を連結する第１連結部４２を一対の係合足部３２間に位置する第１結合体２８上に配置する。
【００７２】
すると、図７（ａ）に示すように、一対の第１カバー部４１における第１連結部４２が連結される個所に設けられた各ビス挿入孔４４が、第１結合部材１３の各第１取付部３３のねじ穴３３ａに対応する。この状態で、第１カバー部材４０の上方からビス４３を各ビス挿入孔４４に挿入させ、この挿入したビス４３を第１取付部３３のねじ穴３３ａに螺合させて締め付ける。
【００７３】
これにより、図７（ａ）に示すように、第１カバー部材４０が第１結合部材１３を覆った状態で、第１結合部材１３に取り付けられる。この状態では、装飾部材１２の内側に位置する一対の第１カバー部４１の内端部が、装飾部材１２の幅狭部２５の両側部を第１結合部材１３上に押し付ける。これにより、装飾部材１２の３時側がベース部材１１および第１結合部材１３に確実に取り付けられる。また、第１カバー部材４０が第１結合部材１３に取り付けられることで、第１カバー部材４０とベース部材１１の筒状部１７により、竜頭などのスイッチ部３、２時側及び４時側に設けられた押釦スイッチ４をガードして外部からの衝撃から保護する。
【００７４】
一方、第２カバー部材４５を第２結合部材１４上に取り付ける場合には、図５に示すように、一対の第２カバー部４６を装飾部材１２の９時側に位置する一対の溝部２６上から第２結合部材１４の第２結合体３４に設けられた各第２取付部３８上、およびベース部材１１の９時側に位置する取付突起部１８の両端部上に配置すると共に、一対の第２カバー部４６を連結する第２連結部４７を第２結合部材１４の上側に位置する装飾部材１２上に配置する。
【００７５】
すると、図９（ａ）に示すように、一対の第２カバー部４６における第２連結部４７と対応する個所に設けられた各ビス挿入孔４８が、第２結合部材１４の一対の第２取付部３８のねじ穴３８ａに対応する。この状態で、第２カバー部材４５の上方からビス４３を各ビス挿入孔４８に挿入させ、この挿入したビス４３を第２取付部３８のねじ穴３８ａに螺合させて締め付ける。
【００７６】
これにより、図２に示すように、第２カバー部材４５が、ベース部材１１の取付突起部１８の両端部と、第２結合部材１４と、これに対応する装飾部材１２とを覆った状態で、第２結合部材１４に取り付けられる。この状態では、第２カバー部材４５が装飾部材１２を第２結合部材１４に押し付ける。これにより、装飾部材１２の９時側がベース部材１１および第２結合部材１４に確実に取り付けられる。この結果、外装ケース６が組み立てられる。また、第２カバー部材４５が第２結合部材１４に取り付けられることで、第２カバー部材４５とベース部材１１の取付突起部１８により、８時側及び１０時側に設けられた押釦スイッチ４をガードして外部からの衝撃から保護する。
【００７７】
そして、この外装ケース６を本体ケース５に取り付ける。この場合には、図２に示すように、外装ケース６のベース部材１１の３時側に設けられたアーチ形状の開口部１６を本体ケース５のスイッチ取付孔８のフランジ部８ａに対応させると共に、外装ケース６のベース部材１１の９時側に設けられた取付突起部１８を本体ケース５の係合突起部９に対応させる。また、外装ケース６のベース部材１１の１２時側と６時側とに設けられた各取付カバー部１５を本体ケース５の各取付突起部７に対応させる。
【００７８】
この状態で、外装ケース６のベース部材１１を押し広げて各取付カバー部１５を本体ケース５の各取付突起部７に被せると共に、ベース部材１１の厚肉部１１ｂを本体ケース５の厚肉部５ｂの外周に被せる。すると、図４に示すように、本体ケース５の係合突起部９がベース部材１１の９時側に設けられた取付突起部１８の係合凹部１８ａに係合して、ベース部材１１の薄肉部１１ａが本体ケース５の薄肉部５ａの外周に装着される。
【００７９】
このときには、装飾部材１２のリング部１２ｂの内周端部が本体ケース５の薄肉部５ａの上端面に配置される。また、このときには、ベース部材１１のアーチ形状の開口部１６が本体ケース５のスイッチ取付孔８のフランジ部８ａに対応すると共に、ベース部材１１の２時側、４時側、８時側、および１０時側の各釦開口部１９が本体ケース５の小径のスイッチ取付孔１０に対応する。
【００８０】
そして、ベース部材１１の厚肉部１１ｂに設けられた複数のビス挿入孔２４に複数のビス２３をそれぞれ挿入させ、この挿入した複数のビス２３を本体ケース５の厚肉部５ｂに螺着させることにより、外装ケース６が本体ケース５を覆った状態で本体ケース５に取り付けられる。これにより、腕時計ケース１が組み立てられる。
【００８１】
このように、この腕時計ケース１によれば、本体ケース５と、この本体ケース５の外周に装着されて本体ケース５を覆う外装ケース６とを備え、この外装ケース６が、本体ケース５の外周に装着されるベース部材１１と、このベース部材１１の上部外周に装着される装飾部材１２と、ベース部材１１および装飾部材１２を結合する第１、第２の結合部材１３、１４と、を有しているので、耐衝撃性を確保して、腕時計ケース１全体の小型化を図ることができる。
【００８２】
すなわち、この腕時計ケース１では、外装ケース６のベース部材１１と外装ケース６の装飾部材１２とを第１、第２の結合部材１３、１４によって確実に結合することができるので、ベース部材１１と装飾部材１２との各肉厚を薄く形成することができる。このため、外装ケース６全体の外形を小さく形成することができるので、腕時計ケース１全体の小型化を図ることができる。
【００８３】
また、この腕時計ケース１では、外装ケース６によって本体ケース５を外部からの衝撃から保護することができるので、耐衝撃性を確保することができると共に、ベース部材１１と装飾部材１２との各色を自由に変えることができるので、これらの色の組み合わせを自由に選択することができ、これにより多彩な色展開ができるので、デザイン性が豊富でデザイン性に優れたものを提供することができる。
【００８４】
この場合、外装ケース６のベース部材１１は、その上部側が円筒状の薄肉部１１ａに形成され、下部側が筒状の厚肉部１１ｂに形成されており、装飾部材１２は、ベース部材１１の薄肉部１１ａの外周に配置される肉厚の薄い筒状部１２ａと、ベース部材１１の薄肉部１１ａの上端部に配置される肉厚の薄いリング部１２ｂとで形成されているので、外装ケース６全体の外径を小さく形成することができる。
【００８５】
すなわち、外装ケース６の第１、第２の結合部材１３、１４が剛性の高いポリアミド系の合成樹脂で形成され、ベース部材１１がウレタン樹脂などの軟質の合成樹脂で形成され、装飾部材１２がアルミニウムなどの金属または硬質の合成樹脂などで形成されていることにより、ベース部材１１の上部側と装飾部材１２との各肉厚を薄く形成することができる。これにより、外装ケース６の外形を小さく形成することができると共に、第１、第２の結合部材１３、１４によってベース部材１１と装飾部材１２とを確実にかつ強固に結合することができる。
【００８６】
この場合、第１結合部材１３は、ベース部材１１の３時側に位置する係合凹部２９に係合する第１係合突起３０と、装飾部材１２の係合凹部２７に係合する第２係合突起３１とを有しているので、ベース部材１１がウレタン樹脂などの軟質の合成樹脂で形成され、装飾部材１２がアルミニウムなどの金属または硬質の合成樹脂などで肉厚が薄く形成されていても、第１結合部材１３によってベース部材１１と装飾部材１２とを確実にかつ強固に結合することができる。
【００８７】
すなわち、第１結合部材１３は、ベース部材１１の３時側に設けられた第１切欠き部２０に配置される第１結合体２８を有し、第１係合突起３０は第１結合体２８の中間部に位置する外周面に設けられていることにより、第１結合体２８がベース部材１１の第１切欠き部２０に配置された際に、ベース部材１１の３時側に位置する厚肉部１１ｂの上部に設けられた係合凹部２９に第１係合突起３０を係合させることができ、これにより第１結合部材１３をベース部材１１に確実に取り付けることができる。
【００８８】
また、この第１結合部材１３の第２係合突起３１は、第１結合体２８の両端部の外周面に設けられているので、第１結合体２８がベース部材１１の第１切欠き部２０に配置された状態で、ベース部材１１の上部の薄肉部１１ａに装飾部材１２の筒状部１２ａが配置された際に、この装飾部材１２の筒状部１２ａの内周面と第１結合体２８の両端部の外周面とが重なり合うことにより、装飾部材１２の筒状部１２ａの内周面に設けられた係合凹部２７に第１結合部材１３の第２係合突起３１を係合させることができ、これにより第１結合部材１３に装飾部材１２を確実に取り付けることができる。
【００８９】
一方、第２結合部材１４は、ベース部材１１の９時側に位置する係合凹部３５に係合する第３係合突起３６と、装飾部材１２の係合凹部２７に係合する第４係合突起３７とを有しているので、これによってもベース部材１１がウレタン樹脂などの軟質の合成樹脂で形成され、装飾部材１２がアルミニウムなどの金属または硬質の合成樹脂などで肉厚が薄く形成されていても、第２結合部材１４によってベース部材１１と装飾部材１２とを確実にかつ強固に結合することができる。
【００９０】
すなわち、第２結合部材１４は、ベース部材１１の９時側に設けられた第２切欠き部２１に配置される第２結合体３４を有し、第３係合突起３６は第２結合体３４の外周面に設けられていることにより、第２結合体３４をベース部材１１の第２切欠き部２１に配置する際に、ベース部材１１の９時側に位置する厚肉部１１ｂの上部に設けられた係合凹部３５に第３係合突起３６を係合させることができ、これにより第２結合部材１４をベース部材１１に確実に取り付けることができる。
【００９１】
また、この第２結合部材１４の第４係合突起３７は、第２結合体３４の外周面に設けられているので、第２結合体３４がベース部材１１の第２切欠き部２１に配置された状態で、ベース部材１１の上部の薄肉部１１ａに装飾部材１２の筒状部１２ａが配置された際に、この装飾部材１２の筒状部１２ａの内周面と第２結合体３４の外周面とが重なり合うことにより、装飾部材１２の筒状部１２ａの内周面に設けられた係合凹部２７に第２結合部材１４の第４係合突起３７を係合させることができ、これにより第２結合部材１４に装飾部材１２を確実に取り付けることができる。
【００９２】
また、第１結合部材１３は、ベース部材１１に設けられた一対の筒状部１７に係合する一対の係合足部３２を更に有していることにより、これら一対の係合足部３２を一対の筒状部１７に設けられた各嵌合穴１７ａに嵌め込むことができるので、第１結合部材１３をベース部材１１に確実にかつ強固に固定することができる。
【００９３】
すなわち、ベース部材１１にアーチ形状の開口部１６が設けられていても、一対の筒状部１７がアーチ形状の開口部１６の両側に設けられていることにより、一対の筒状部１７に嵌め込まれた一対の係合足部３２を有する第１結合部材１３によって、アーチ形状の開口部１６に位置する個所のベース部材１１の強度を確保することができる。
【００９４】
また、この腕時計ケース１では、ベース部材１１の外周面に係止突起部２２が設けられており、装飾部材１２の内周面にベース部材１１の係止突起部２２が係合する係合凹部２７が設けられていることにより、装飾部材１２がベース部材１１に装着された際に、ベース部材１１の係止突起部２２を装飾部材１２の係合凹部２７に係合させることができるので、これによっても装飾部材１２をベース部材１１に確実に取り付けることができる。
【００９５】
この場合、ベース部材１１の係止突起部２２は、ベース部材１１の上部側に位置する薄肉部１１ａの外周面に設けられ、装飾部材１２の係合凹部２７は、ベース部材１１の薄肉部１１ａの外周に装着する筒状部１２ａの内周面に設けられているので、装飾部材１２の筒状部１２ａがベース部材１１の薄肉部１１ａの外周に装着した際に、装飾部材１２の筒状部１２ａの下端部をベース部材１１の厚肉部１１ｂの上端部に当接させてベース部材１１の外周から突出させないように装着することができ、これによりベース部材１１に対する装飾部材１２のめくれを確実に防ぐことができる。
【００９６】
また、この腕時計ケース１では、第１結合部材１３を覆って第１結合部材１３に取り付けられ、かつ装飾部材１２の３時側を押える第１カバー部材４０と、第２結合部材１４を覆って第２結合部材１４に取り付けられ、かつ装飾部材１２の９時側を押える第２カバー部材４５と、を備えていることにより、第１カバー部材４０によって第１結合部材１３を覆って保護することができ、また第２カバー部材４５によって第２結合部材１４を覆って保護することができ、これらによっても装飾部材１２をベース部材１１に確実にかつ強固に取り付けることができる。
【００９７】
この場合、第１カバー部材４０は、装飾部材１２の３時側の上部から第１結合部材１３の係合足部３２上を覆う一対の第１カバー部４１と、これら一対の係合足部３２間に位置する第１結合体２８を覆って一対の第１カバー部４１を連結する第１連結部４２と、を有しているので、一対の第１カバー部４１に設けられたビス挿入孔４４を通してビス４３を第１結合部材１３の第１取付部３３のねじ穴３３ａに螺合させることにより、第１カバー部材４０を第１結合部材１３に確実に取り付けることができると共に、この第１カバー部材４０によって装飾部材１２を第１結合部材１３に押し付けて固定することができる。
【００９８】
同様に、第２カバー部材４５は、装飾部材１２の９時側の上部から第２結合部材１４の第２取付部３８上を覆う一対の第２カバー部４６と、第２結合体３４を覆って一対の第２カバー部４６を連結する第２連結部４７と、を有しているので、一対の第２カバー部４６に設けられたビス挿入孔４８を通してビス４３を第２結合部材１４の第２取付部３８のねじ穴３８ａに螺合させることにより、第２カバー部材４５を第２結合部材１４に確実に取り付けることができると共に、この第２カバー部材４５によって装飾部材１２を第２結合部材１４に押し付けて固定することができる。
【００９９】
この場合、第１カバー部材４０と第２カバー部材４５とがウレタン樹脂などの軟質の合成樹脂で形成されていることにより、耐衝撃性を向上させることができるほか、第１、第２のカバー部材４０、４５とベース部材１１と装飾部材１２とをそれぞれ異なる色にすることにより、更に多彩な色展開ができるばかりか、第１、第２のカバー部材４０、４５をデザイン的なアクセントとして表現することができるので、より一層、デザイン性の高いものを提供することができる。
【０１００】
さらに、この腕時計ケース１では、ベース部材１１が本体ケース５に複数のビス２３によって固定されていることにより、外装ケース６を本体ケース５に確実に取り付けることができると共に、外装ケース６を本体ケース５に強固に固定することができ、これにより本体ケース５を外装ケース６によって確実にかつ良好に保護することができるので、より一層、耐衝撃性に優れたものを提供することができる。
【０１０１】
この場合、ベース部材１１の厚肉部１１ｂには、複数のビス挿入孔２４がベース部材１１の内外に貫通して設けられており、本体ケース５が硬質の合成樹脂で形成され、この本体ケース５の厚肉部５ｂにベース部材１１の各ビス挿入孔２４が対向していることにより、ベース部材１１の各ビス挿入孔２４を通して各ビス２３を本体ケース５の厚肉部５ｂに螺着することができるので、外装ケース６を本体ケース５に確実にかつ強固に取り付けることができる。
【０１０２】
なお、上述した実施形態では、ベース部材１１の外周面に係止突起部２２を設け、装飾部材１２の内周面にベース部材１１の係止突起部２２が係合する係合凹部２７を設けた場合について述べたが、これに限らず、例えばベース部材１１の外周面に係合凹部を設け、装飾部材１２の内周面にベース部材１１の係合凹部が係合する係止突起部を設けた構成であっても良い。
【０１０３】
また、上述した実施形態では、ベース部材１１と装飾部材１２とを第１結合部材１３と第２結合部材１４との２つの結合部材によって結合した場合について述べたが、これに限らず、３つ以上の結合部材によってベース部材１１と装飾部材１２とを結合するように構成しても良く、また１つの結合部材でベース部材１１と装飾部材１２とを結合するように構成しても良い。
【０１０４】
さらに、上述した実施形態では、腕時計ケース１に適用した場合について述べたが、必ずしも腕時計ケース１である必要はなく、例えばトラベルウオッチ、目覚まし時計、置き時計、掛け時計などの各種の時計ケースに適用することができる。また、時計ケースに限らず、腕に装着して使用する腕装着型の電子機器、あるいは携帯電話機や携帯情報端末機などの各種の電子機器の機器ケースにも適用することができる。
【０１０５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０６】
（付記）
請求項１に記載の発明は、本体ケースと、この本体ケースの外周に装着されて前記本体ケースを覆う外装ケースとを備え、前記外装ケースは、前記本体ケースの外周に装着されるベース部材と、このベース部材の上部外周に装着される装飾部材と、前記ベース部材および前記装飾部材を結合する結合部材と、を有していることを特徴とするケース構造である。
【０１０７】
請求項２に記載の発明は、請求項１に記載のケース構造において、前記結合部材は、前記ベース部材に係合すると共に前記ベース部材の厚さ方向に位置決めをする第１係合部と、前記装飾部材に係合すると共に前記装飾部材の厚さ方向に位置決めをする第２係合部と、を有していることを特徴とするケース構造である。
【０１０８】
請求項３に記載の発明は、請求項２に記載のケース構造において、前記結合部材は、前記ベース部材に設けられた筒状部に係合する係合足部を更に有し、前記係合足部は、前記ベース部材の前記厚さ方向に対して垂直な面内に位置決めをすることを特徴とするケース構造である。
【０１０９】
請求項４に記載の発明は、請求項２に記載のケース構造において、前記第１係合部は、前記ベース部材の前記厚さ方向に対して垂直な面内に位置決めをすることを特徴とするケース構造。である。
【０１１０】
請求項５に記載の発明は、請求項１〜請求項４のいずれかに記載のケース構造において、前記ベース部材と前記装飾部材との一方には、係止突起が設けられており、前記ベース部材と前記装飾部材との他方には、前記係止突起が係合する係合凹部が設けられ、前記係合凹部が前記係止突起に係合することにより前記装飾部材が前記ベース部材に取り付けられることを特徴とするケース構造である。
【０１１１】
請求項６に記載の発明は、請求項５に記載のケース構造において、前記係止突起は、前記ベース部材の上側の薄肉部の外周面に沿って円弧状に設けられ、前記係合凹部は、前記装飾部材の円形の筒状部の内周面に沿って円弧状に設けられ、前記結合部材の第２係合部は、前記ベース部材に取り付けた時に前記係止突起に対応して連続するように円弧状に設けられており、前記係合凹部が前記係止突起及び前記第２係合部に係合することにより、前記装飾部材が前記ベース部材及び前記結合部材に取り付けられることを特徴とするケース構造である。
【０１１２】
請求項７に記載の発明は、請求項１〜請求項６のいずれかに記載のケース構造において、前記結合部材を覆って前記結合部材に取り付けられ、かつ前記装飾部材を押えるカバー部材を備えていることを特徴とするケース構造である。
【０１１３】
請求項８に記載の発明は、請求項７に記載のケース構造において、前記カバー部材は、ビスが挿入されるビス挿入孔を有し、前記結合部材は、前記カバー部材の前記ビス挿入孔に対応する個所にねじ穴が設けられた取付部を有し、前記カバー部材は、前記ビスが前記ビス挿入孔を通して前記取付部のねじ穴に螺合することにより、前記結合部材に取り付けられ、前記装飾部材及び前記ベース部材を固定して、前記外装ケースが組み立てられることを特徴とするケース構造である。
【０１１４】
請求項９に記載の発明は、請求項１〜請求項８のいずれかに記載のケース構造において、前記ベース部材は前記本体ケースに複数のビスによって固定されていることを特徴とするケース構造である。
【０１１５】
請求項１０に記載の発明は、請求項１〜請求項９のいずれかに記載されたケース構造を備えていることを特徴とする時計ケースである。
【符号の説明】
【０１１６】
１  腕時計ケース
５  本体ケース
５ａ  薄肉部
５ｂ  厚肉部
６  外装ケース
１１  ベース部材
１１ａ  薄肉部
１１ｂ  厚肉部
１２  装飾部材
１２ａ  筒状部
１２ｂ  リング部
１３  第１結合部材
１４  第２結合部材
１６  開口部
１７  筒状部
１８  取付突起部
２０  第１切欠き部
２１  第２切欠き部
２２  係止突起
２３、４３  ビス
２７、２９、３５  係合凹部
２８  第１結合体
３０  第１係合突起
３１  第２係合突起
３２  係合足部
３３  第１取付部
３４  第２結合体
３６  第３係合突起
３７  第４係合突起
３８  第２取付部
４０  第１カバー部材
４５  第２カバー部材
【図１】
2015230167.tif 000003
【図２】
2015230167.tif 000004
【図３】
2015230167.tif 000005
【図４】
2015230167.tif 000006
【図５】
2015230167.tif 000007
【図６】
2015230167.tif 000008
【図７】
2015230167.tif 000009
【図８】
2015230167.tif 000010
【図９】
2015230167.tif 000011